【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
受信機への送信のためのトランスポートブロックグループのトランスポートブロックグループサイズを識別することと、
前記送信の間に前記受信機に再送信されるべき１つまたは複数の前のトランスポートブロックの１つまたは複数のコードブロックの再送信サイズを決定することと、
前記トランスポートブロックグループサイズと前記再送信サイズとの間の差に少なくとも部分的に基づいて前記新しいトランスポートブロックのサイズを決定することと、
前記新しいトランスポートブロックのサイズと、前記トランスポートブロックグループサイズと前記再送信サイズとに少なくとも部分的に基づいて前記送信の間に前記受信機に前記新しいトランスポートブロックを送信すべきかどうかを決定することと、
前記受信機に前記トランスポートブロックを送信することと
を備える、方法。
【請求項２】
２つ以上の異なるトランスポートブロックからのコードブロックは、前記送信の間に前記トランスポートブロックグループ中で送信される、
請求項１に記載の方法。
【請求項３】
前記トランスポートブロックグループサイズが前記再送信サイズを上回るとき、前記受信機に前記新しいトランスポートブロックを送信することを決定することをさらに備える、
請求項１に記載の方法。
【請求項４】
前記トランスポートブロックグループサイズは、前記送信のために割り当てられたワイヤレスリソース中のリソースブロックの数、前記送信のために割り当てられた前記ワイヤレスリソース中の送信時間間隔の数、前記送信のために使用される空間多重化レイヤの数、または前記送信のために使用される変調およびコーディングスキームのうちの１つまたは複数に少なくとも部分的に基づいて決定される、
請求項１に記載の方法。
【請求項５】
前記再送信サイズを前記決定することは、
前記受信機に送信された前記１つまたは複数の前のトランスポートブロックからの１つまたは複数のコードブロックが、前記受信機に再送信されるべきであると決定することと、
再送信されるべきである前記１つまたは複数のコードブロックのコードブロックサイズをアグリゲートすることと
を備える、請求項１に記載の方法。
【請求項６】
前記１つまたは複数の前のトランスポートブロックからの前記１つまたは複数のコードブロックは、前記受信機に再送信されるべきであると前記決定することが、否定応答（ＮＡＣＫ）が前記１つまたは複数のコードブロックに関連付けられると決定することを備える、
請求項５に記載の方法。
【請求項７】
前記新しいトランスポートブロックが前記送信の間に送信されるべきであるのかどうかのインジケーションを送信することと、
前記送信の間に再送信されるコードブロックを備える連続する前のトランスポートブロックの数を識別することと、
前記送信の間に再送信されるコードブロックを備える前記連続する前のトランスポートブロックの数より前のトランスポートブロックに関連する再送信されるべきコードブロックを破棄することと
をさらに備える、請求項１に記載の方法。
【請求項８】
前記再送信サイズは、再送信されるべきコードブロックのコードブロックサイズの和に少なくとも部分的に基づいて決定される、
請求項１に記載の方法。
【請求項９】
前記送信の間に再送信されるコードブロックを備える連続する前のトランスポートブロックの数のインジケーションを送信することをさらに備える、
請求項１に記載の方法。
【請求項１０】
前記トランスポートブロックグループサイズと前記再送信サイズとの間の差が、前記送信中に前記受信機に再送信されるべき前記１つまたは複数の前のトランスポートブロックの前記コードブロックのみを含むことをサポートすると決定することをさらに備える、
請求項１に記載の方法。
【請求項１１】
前記トランスポートブロックグループサイズと前記再送信サイズとの間の差が、前記送信中に前記新しいトランスポートブロックを含むことをサポートすると決定することをさらに備える、
請求項１に記載の方法。
【請求項１２】
前記受信機への前記送信は、２つ以上の空間多重化レイヤ上での空間多重化送信であり、各空間多重化レイヤの変調およびコーディングスキーム（ＭＣＳ）は、前記空間多重化レイヤの他方のための前記ＭＣＳとは無関係に決定される、
請求項１に記載の方法。
【請求項１３】
前記トランスポートブロックグループサイズを識別することは、各空間多重化レイヤのための前記トランスポートブロックグループサイズを識別することを備え、
前記再送信サイズを決定することは、各空間多重化レイヤについて前記送信の間に前記受信機に再送信されるべき１つまたは複数の前のトランスポートブロックの任意のコードブロックの前記再送信サイズを決定することを備える、
請求項１２に記載の方法。
【請求項１４】
ワイヤレス通信のための方法であって、
送信のためのトランスポートブロックグループサイズを識別することと、
２つ以上のトランスポートブロックからのコードブロックが前記送信中に含まれるべきかどうかのインジケーションを受信することと、
前記送信の間に再送信されるべき１つまたは複数の前のトランスポートブロックのコードブロックの再送信サイズを決定することと、
前記トランスポートブロックグループサイズと前記再送信サイズとの間の差に少なくとも部分的に基づいて新しいトランスポートブロックのサイズを決定することと、
前記トランスポートブロックのサイズに従って前記送信を受信することと
を備える、方法。
【請求項１５】
前記送信の間に再送信されるコードブロックを備える連続する前のトランスポートブロックの数を識別することと、
前記送信の間に再送信されるコードブロックを備える前記連続する前のトランスポートブロックの数より前のトランスポートブロックに関連するコードブロックに関係する情報を破棄することと
をさらに備える、請求項１４に記載の方法。
【請求項１６】
前記新しいトランスポートブロックが前記送信の間に送信されるべきであるというインジケーションを受信することをさらに備える、
請求項１４に記載の方法。
【請求項１７】
前記インジケーションは、１ビットのインジケータを備え、前記新しいトランスポートブロックが、前記トランスポートブロックグループサイズよりも小さい再送信サイズを有する２つ以上の空間多重化レイヤの各々上で送信される、
請求項１６に記載の方法。
【請求項１８】
ワイヤレス通信のための方法であって、
アップリンク送信のためのリソース許可を受信すること、前記リソース許可は、前記アップリンク送信のためのアップリンク送信リソースを識別する、と、
前記リソース許可に少なくとも部分的に基づいて、前記アップリンク送信中に送信されるべきトランスポートブロックグループのためのトランスポートブロックグループサイズを決定すること、前記トランスポートブロックグループは、前記アップリンク送信中に送信されるべき２つ以上のトランスポートブロックからの複数のコードブロックを含む、と、
前記アップリンク送信のための利用可能なリソースを決定することと、
前記トランスポートブロックサイズと前記利用可能なリソースとに少なくとも部分的に基づいて前記アップリンク送信のためのコーディングレートを修正することと、
前記修正されたコーディングレートを使用して前記利用可能なリソース中の前記トランスポートブロックグループを送信することと  を備える、方法。
【請求項１９】
前記アップリンク送信リソースのためのワイヤレス通信チャネルの利用可能性を決定するために前記アップリンク送信のために使用されるべき前記ワイヤレス通信チャネルに対してリッスンビフォアトーク（ＬＢＴ）プロシージャを実行することをさらに備える、
請求項１８に記載の方法。
【請求項２０】
前記ワイヤレス通信チャネルが前記アップリンク送信リソースの一部分に対して利用不可能であることを示す前記ＬＢＴプロシージャに少なくとも部分的に基づいて前記トランスポートブロックグループサイズ、符号化レート、または前記アップリンク送信のためのコードブロックの量のうちの１つまたは複数を修正することをさらに備える、
請求項１９に記載の方法。
【請求項２１】
前記複数のコードブロックは、第１のトランスポートブロックからの第１のコードブロックと第２のトランスポートブロックからの第２のコードブロックとを少なくとも備え、前記第１のコードブロックと前記第２のコードブロックとのコードブロックサイズが異なる、
請求項１８に記載の方法。
【請求項２２】
前記アップリンク送信リソースは、前記アップリンク送信のための２つ以上の送信時間間隔（ＴＴＩ）を備え、前記ＬＢＴプロシージャは、第１のＴＴＩに対して実行され、前記第１のＴＴＩについて前記ＬＢＴプロシージャが失敗したときに前記ＬＢＴプロシージャが第２のＴＴＩに対して実行される、
請求項１９に記載の方法。
【請求項２３】
前記アップリンク送信リソースは、前記アップリンク送信のための２つ以上の周波数リソースを備え、前記ＬＢＴプロシージャは、前記周波数リソースに対して実行される、
請求項１９に記載の方法。
【請求項２４】
前記アップリンク送信のための利用可能なリソースを決定することと、
前記利用可能なリソース中で送信されるべき前記複数のコードブロックの一部分を識別することと
さらにを備える、請求項１８に記載の方法。
【請求項２５】
前記アップリンク送信のための利用可能なリソースを決定することと、
前記利用可能なリソースに少なくとも部分的に基づいて前記トランスポートブロックグループサイズを修正することと、
前記修正されたトランスポートブロックグループサイズに少なくとも部分的に基づいて前記コードブロックのうちの１つまたは複数をドロップすることと
さらにを備える、請求項１８に記載の方法。
【請求項２６】
ワイヤレス通信のための装置であって、
プロセッサと、
前記プロセッサと電子通信しているメモリと、
前記メモリに記憶された命令と
を備え、前記命令は、プロセッサによって実行されたとき、前記装置に、
受信機への送信のためのトランスポートブロックグループのトランスポートブロックグループサイズを識別することと、
前記送信の間に前記受信機に再送信されるべき１つまたは複数の前のトランスポートブロックの１つまたは複数のコードブロックの再送信サイズを決定することと、
前記トランスポートブロックグループサイズと前記再送信サイズとの間の差に少なくとも部分的に基づいて新しいトランスポートブロックのサイズを決定することと、
前記新しいトランスポートブロックのサイズと、前記トランスポートブロックグループサイズと前記再送信サイズとに少なくとも部分的に基づいて前記送信の間に前記受信機に前記新しいトランスポートブロックを送信すべきかどうかを決定することと、
前記受信機に前記トランスポートブロックを送信することと  を行わせるように動作可能である、装置。
【手続補正２】
【補正対象書類名】明細書
【補正対象項目名】０１８０
【補正方法】変更
【補正の内容】
【０１８０】
[0189]本明細書の説明は、当業者が本開示を作成または使用することができるように与えられたものである。本開示への様々な修正は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレス通信のための方法であって、
受信機への送信のためのトランスポートブロックグループサイズを識別することと、
前記送信の間に前記受信機に再送信されるべき１つまたは複数の前のトランスポートブロックの１つまたは複数のコードブロックの再送信サイズを決定することと、
前記トランスポートブロックグループサイズと前記再送信サイズとに少なくとも部分的に基づいて前記送信の間に前記受信機に新しいトランスポートブロックを送信すべきかどうかを決定することと
を備える、方法。
［Ｃ２］
２つ以上の異なるトランスポートブロックからのコードブロックは、前記送信の間に前記トランスポートブロックグループ中で送信される、
［Ｃ１］に記載の方法。
［Ｃ３］
前記トランスポートブロックグループサイズが前記再送信サイズを上回るとき、前記受信機に前記新しいトランスポートブロックを送信することを決定することをさらに備える、
［Ｃ１］に記載の方法。
［Ｃ４］
前記トランスポートブロックグループサイズと前記再送信サイズとの間の差に少なくとも部分的に基づいて前記新しいトランスポートブロックのサイズを決定することをさらに備える、
［Ｃ３］に記載の方法。
［Ｃ５］
前記トランスポートブロックグループサイズは、前記送信のために割り当てられたワイヤレスリソース中のリソースブロックの数、前記送信のために割り当てられた前記ワイヤレスリソース中の送信時間間隔の数、前記送信のために使用される空間多重化レイヤの数、または前記送信のために使用される変調およびコーディングスキームのうちの１つまたは複数に少なくとも部分的に基づいて決定される、
［Ｃ１］に記載の方法。
［Ｃ６］
前記再送信サイズを前記決定することは、
前記受信機に送信された前記１つまたは複数の前のトランスポートブロックからの１つまたは複数のコードブロックが、前記受信機に再送信されるべきであると決定することと、
再送信されるべきである前記１つまたは複数のコードブロックのコードブロックサイズをアグリゲートすることと
を備える、［Ｃ１］に記載の方法。
［Ｃ７］
前記１つまたは複数の前のトランスポートブロックからの前記１つまたは複数のコードブロックは、前記受信機に再送信されるべきであると前記決定することが、否定応答（ＮＡＣＫ）が前記１つまたは複数のコードブロックに関連付けられると決定することを備える、
［Ｃ６］に記載の方法。
［Ｃ８］
前記新しいトランスポートブロックが前記送信の間に送信されるべきであるのかどうかのインジケーションを送信することと、
前記送信の間に再送信されるコードブロックを備える連続する前のトランスポートブロックの数を識別することと、
前記送信の間に再送信されるコードブロックを備える前記連続する前のトランスポートブロックの数より前のトランスポートブロックに関連する再送信されるべきコードブロックを破棄することと
をさらに備える、［Ｃ１］に記載の方法。
［Ｃ９］
前記再送信サイズは、再送信されるべきコードブロックのコードブロックサイズの和に少なくとも部分的に基づいて決定される、
［Ｃ１］に記載の方法。
［Ｃ１０］
前記送信の間に再送信されるコードブロックを備える連続する前のトランスポートブロックの数のインジケーションを送信することをさらに備える、
［Ｃ１］に記載の方法。
［Ｃ１１］
前記トランスポートブロックグループサイズと前記再送信サイズとの間の差が、前記送信中に前記受信機に再送信されるべき前記１つまたは複数の前のトランスポートブロックの前記コードブロックのみを含むことをサポートすると決定することをさらに備える、
［Ｃ１］に記載の方法。
［Ｃ１２］
前記トランスポートブロックグループサイズと前記再送信サイズとの間の差が、前記送信中に前記新しいトランスポートブロックを含むことをサポートすると決定することをさらに備える、
［Ｃ１］に記載の方法。
［Ｃ１３］
前記受信機への前記送信は、２つ以上の空間多重化レイヤ上での空間多重化送信であり、各空間多重化レイヤの変調およびコーディングスキーム（ＭＣＳ）は、前記空間多重化レイヤの他方のための前記ＭＣＳとは無関係に決定される、
［Ｃ１］に記載の方法。
［Ｃ１４］
前記トランスポートブロックグループサイズを識別することは、各空間多重化レイヤのための前記トランスポートブロックグループサイズを識別することを備え、
前記再送信サイズを決定することは、各空間多重化レイヤについて前記送信の間に前記受信機に再送信されるべき１つまたは複数の前のトランスポートブロックの任意のコードブロックの前記再送信サイズを決定することを備える、
［Ｃ１］に記載の方法。
［Ｃ１５］
ワイヤレス通信のための方法であって、
送信のためのトランスポートブロックグループサイズを識別することと、
２つ以上のトランスポートブロックからのコードブロックが前記送信中に含まれるべきかどうかのインジケーションを受信することと、
前記トランスポートブロックグループサイズと前記インジケーションとに少なくとも部分的に基づいて前記２つ以上のトランスポートブロックからのコードブロックのためのコードブロックサイズを決定することと
を備える、方法。
［Ｃ１６］
前記送信の間に再送信されるコードブロックを備える連続する前のトランスポートブロックの数を識別することと、
前記送信の間に再送信されるコードブロックを備える前記連続する前のトランスポートブロックの数より前のトランスポートブロックに関連するコードブロックに関係する情報を破棄することと
をさらに備える、［Ｃ１５］に記載の方法。
［Ｃ１７］
前記送信の間に再送信されるべき１つまたは複数の前のトランスポートブロックのコードブロックの再送信サイズを決定することをさらに備える、
［Ｃ１５］に記載の方法。
［Ｃ１８］
前記トランスポートブロックグループサイズと前記再送信サイズとの間の差に少なくとも部分的に基づいて前記新しいトランスポートブロックのサイズを決定することをさらに備える、
［Ｃ１７］に記載の方法。
［Ｃ１９］
新しいトランスポートブロックが前記送信の間に送信されるべきであるというインジケーションを受信することをさらに備える、
［Ｃ１８］に記載の方法。
［Ｃ２０］
前記インジケーションは、１ビットのインジケータを備え、新しいトランスポートブロックが、前記トランスポートブロックグループサイズよりも小さい再送信サイズを有する各空間多重化レイヤ上で送信される、
［Ｃ１９］に記載の方法。
［Ｃ２１］
ワイヤレス通信のための方法であって、
アップリンク送信のためのリソース許可を受信すること、前記リソース許可は、前記アップリンク送信のためのアップリンク送信リソースを識別する、と、
前記リソース許可に少なくとも部分的に基づいて、前記アップリンク送信中に送信されるべきトランスポートブロックグループのためのトランスポートブロックグループサイズを決定すること、前記トランスポートブロックグループは、前記アップリンク送信中に送信されるべき２つ以上のトランスポートブロックからの複数のコードブロックを含む、と
を備える、方法。
［Ｃ２２］
前記アップリンク送信リソースのためのワイヤレス通信チャネルの利用可能性を決定するために前記アップリンク送信のために使用されるべき前記ワイヤレス通信チャネルに対してリッスンビフォアトーク（ＬＢＴ）プロシージャを実行することをさらに備える、
［Ｃ２１］に記載の方法。
［Ｃ２３］
前記ワイヤレス通信チャネルが前記アップリンク送信リソースの一部分に対して利用不可能であることを示す前記ＬＢＴプロシージャに少なくとも部分的に基づいて前記トランスポートブロックグループサイズ、符号化レート、または前記アップリンク送信のためのコードブロックの量のうちの１つまたは複数を修正することをさらに備える、
［Ｃ２２］に記載の方法。
［Ｃ２４］
前記複数のコードブロックは、第１のトランスポートブロックからの第１のコードブロックと第２のトランスポートブロックからの第２のコードブロックとを少なくとも備え、前記第１のコードブロックと前記第２のコードブロックとのコードブロックサイズが異なる、
［Ｃ２１］に記載の方法。
［Ｃ２５］
前記アップリンク送信リソースは、前記アップリンク送信のための２つ以上の送信時間間隔（ＴＴＩ）を備え、前記ＬＢＴプロシージャは、第１のＴＴＩに対して実行され、前記第１のＴＴＩについて前記ＬＢＴプロシージャが失敗したときに前記ＬＢＴプロシージャが第２のＴＴＩに対して実行される、
［Ｃ２１］に記載の方法。
［Ｃ２６］
前記アップリンク送信リソースは、前記アップリンク送信のための２つ以上の周波数リソースを備え、前記ＬＢＴプロシージャは、前記周波数リソースに対して実行される、
［Ｃ２１］に記載の方法。
［Ｃ２７］
前記修正することは、
前記アップリンク送信のための利用可能なリソースを決定することと、
前記利用可能なリソース中での前記複数のコードブロックの送信をサポートするためにコーディングレートを修正することと
を備える、［Ｃ２１］に記載の方法。
［Ｃ２８］
前記修正することは、
前記アップリンク送信のための利用可能なリソースを決定することと、
前記利用可能なリソース中で送信されるべき前記複数のコードブロックの一部分を識別することと
を備える、［Ｃ２１］に記載の方法。
［Ｃ２９］
前記修正することは、
前記アップリンク送信のための利用可能なリソースを決定することと、
前記利用可能なリソースに少なくとも部分的に基づいて前記トランスポートブロックグループサイズを修正することと、
前記修正されたトランスポートブロックグループサイズに少なくとも部分的に基づいて前記コードブロックのうちの１つまたは複数をドロップすることと
を備える、［Ｃ２１］に記載の方法。
［Ｃ３０］
ワイヤレス通信のための装置であって、
受信機への送信のためのトランスポートブロックグループサイズを識別するための手段と、
前記送信の間に前記受信機に再送信されるべき１つまたは複数の前のトランスポートブロックの１つまたは複数のコードブロックの再送信サイズを決定するための手段と、
前記トランスポートブロックグループサイズと前記再送信サイズとに少なくとも部分的に基づいて前記送信の間に前記受信機に新しいトランスポートブロックを送信すべきかどうかを決定するための手段と
を備える、装置。
［Ｃ３１］
２つ以上の異なるトランスポートブロックからのコードブロックは、前記送信の間に前記トランスポートブロックグループ中で送信される、
［Ｃ３０］に記載の装置。
［Ｃ３２］
前記トランスポートブロックグループサイズが前記再送信サイズを上回るとき、前記受信機に前記新しいトランスポートブロックを送信することを決定するための手段をさらに備える、
［Ｃ３０］に記載の装置。
［Ｃ３３］
前記トランスポートブロックグループサイズと前記再送信サイズとの間の差に少なくとも部分的に基づいて前記新しいトランスポートブロックのサイズを決定するための手段をさらに備える、
［Ｃ３２］に記載の装置。
［Ｃ３４］
前記トランスポートブロックグループサイズは、前記送信のために割り当てられたワイヤレスリソース中のリソースブロックの数、前記送信のために割り当てられた前記ワイヤレスリソース中の送信時間間隔の数、前記送信のために使用される空間多重化レイヤの数、または前記送信のために使用される変調およびコーディングスキームのうちの１つまたは複数に少なくとも部分的に基づいて決定される、
［Ｃ３０］に記載の装置。
［Ｃ３５］
前記再送信サイズを前記決定するための手段は、
前記受信機に送信された前記１つまたは複数の前のトランスポートブロックからの１つまたは複数のコードブロックが、前記受信機に再送信されるべきであると決定するための手段と、
再送信されるべきである前記１つまたは複数のコードブロックのコードブロックサイズをアグリゲートするための手段と
を備える、［Ｃ３０］に記載の装置。
［Ｃ３６］
前記１つまたは複数の前のトランスポートブロックからの前記１つまたは複数のコードブロックが前記受信機に再送信されるべきであると前記決定するための手段は、否定応答（ＮＡＣＫ）が前記１つまたは複数のコードブロックに関連付けられると決定するための手段を備える、
［Ｃ３５］に記載の装置。
［Ｃ３７］
前記新しいトランスポートブロックが前記送信の間に送信されるべきであるのかどうかのインジケーションを送信するための手段と、
前記送信の間に再送信されるコードブロックを備える連続する前のトランスポートブロックの数を識別するための手段と、
前記送信の間に再送信されるコードブロックを備える前記連続する前のトランスポートブロックの数より前のトランスポートブロックに関連する再送信されるべきコードブロックを破棄するための手段と
をさらに備える、［Ｃ３０］に記載の装置。
［Ｃ３８］
前記再送信サイズは、再送信されるべきコードブロックのコードブロックサイズの和に少なくとも部分的に基づいて決定される、
［Ｃ３０］に記載の装置。
［Ｃ３９］
前記送信の間に再送信されるコードブロックを備える連続する前のトランスポートブロックの数のインジケーションを送信するための手段をさらに備える、
［Ｃ３０］に記載の装置。
［Ｃ４０］
前記トランスポートブロックグループサイズと前記再送信サイズとの間の差が、前記送信中に前記受信機に再送信されるべき前記１つまたは複数の前のトランスポートブロックの前記コードブロックのみを含むことをサポートすると決定するための手段をさらに備える、
［Ｃ３０］に記載の装置。
［Ｃ４１］
前記トランスポートブロックグループサイズと前記再送信サイズとの間の差が、前記送信中に前記新しいトランスポートブロックを含むことをサポートすると決定するための手段をさらに備える、
［Ｃ３０］に記載の装置。
［Ｃ４２］
前記受信機への前記送信は、２つ以上の空間多重化レイヤ上での空間多重化送信であり、各空間多重化レイヤの変調およびコーディングスキーム（ＭＣＳ）は、前記空間多重化レイヤの他方のための前記ＭＣＳとは無関係に決定される、
［Ｃ３０］に記載の装置。
［Ｃ４３］
前記トランスポートブロックグループサイズを前記識別するための手段は、各空間多重化レイヤのための前記トランスポートブロックグループサイズを識別するための手段を備え、
前記再送信サイズを前記決定するための手段は、各空間多重化レイヤについて前記送信の間に前記受信機に再送信されるべき１つまたは複数の前のトランスポートブロックの任意のコードブロックの前記再送信サイズを決定するための手段を備える、
［Ｃ３０］に記載の装置。
［Ｃ４４］
ワイヤレス通信のための装置であって、
送信のためのトランスポートブロックグループサイズを識別するための手段と、
２つ以上のトランスポートブロックからのコードブロックが前記送信中に含まれるべきかどうかのインジケーションを受信するための手段と、
前記トランスポートブロックグループサイズと前記インジケーションとに少なくとも部分的に基づいて前記２つ以上のトランスポートブロックからのコードブロックのためのコードブロックサイズを決定するための手段と
を備える、装置。
［Ｃ４５］
前記送信の間に再送信されるコードブロックを備える連続する前のトランスポートブロックの数を識別するための手段と、
前記送信の間に再送信されるコードブロックを備える前記連続する前のトランスポートブロックの数より前のトランスポートブロックに関連するコードブロックに関係する情報を破棄するための手段と
をさらに備える、［Ｃ４４］に記載の装置。
［Ｃ４６］
前記送信の間に再送信されるべき１つまたは複数の前のトランスポートブロックのコードブロックの再送信サイズを決定するための手段をさらに備える、
［Ｃ４４］に記載の装置。
［Ｃ４７］
前記トランスポートブロックグループサイズと前記再送信サイズとの間の差に少なくとも部分的に基づいて前記新しいトランスポートブロックのサイズを決定するための手段をさらに備える、
［Ｃ４６］に記載の装置。
［Ｃ４８］
新しいトランスポートブロックが前記送信の間に送信されるべきであるというインジケーションを受信するための手段をさらに備える、
［Ｃ４７］に記載の装置。
［Ｃ４９］
前記インジケーションが、１ビットのインジケータを備え、新しいトランスポートブロックは、前記トランスポートブロックグループサイズよりも小さい再送信サイズを有する各空間多重化レイヤ上で送信される、
［Ｃ４８］に記載の装置。
［Ｃ５０］
ワイヤレス通信のための装置であって、
アップリンク送信のためのリソース許可を受信するための手段、前記リソース許可は、前記アップリンク送信のためのアップリンク送信リソースを識別する、と、
前記リソース許可に少なくとも部分的に基づいて、前記アップリンク送信中に送信されるべきトランスポートブロックグループのためのトランスポートブロックグループサイズを決定するための手段、前記トランスポートブロックグループは、前記アップリンク送信中に送信されるべき２つ以上のトランスポートブロックからの複数のコードブロックを含む、と
を備える、装置。
［Ｃ５１］
前記アップリンク送信リソースのためのワイヤレス通信チャネルの利用可能性を決定するために前記アップリンク送信のために使用されるべき前記ワイヤレス通信チャネルに対してリッスンビフォアトーク（ＬＢＴ）プロシージャを実行するための手段をさらに備える、
［Ｃ５０］に記載の装置。
［Ｃ５２］
前記ワイヤレス通信チャネルが前記アップリンク送信リソースの一部分に対して利用不可能であることを示す前記ＬＢＴプロシージャに少なくとも部分的に基づいて前記トランスポートブロックグループサイズ、符号化レート、または前記アップリンク送信のためのコードブロックの量のうちの１つまたは複数を修正するための手段をさらに備える、
［Ｃ５１］に記載の装置。
［Ｃ５３］
前記複数のコードブロックは、第１のトランスポートブロックからの第１のコードブロックと第２のトランスポートブロックからの第２のコードブロックとを少なくとも備え、前記第１のコードブロックと前記第２のコードブロックとのコードブロックサイズは、異なる、
［Ｃ５０］に記載の装置。
［Ｃ５４］
前記アップリンク送信リソースは、前記アップリンク送信のための２つ以上の送信時間間隔（ＴＴＩ）を備え、前記ＬＢＴプロシージャは、第１のＴＴＩに対して実行され、前記第１のＴＴＩについて前記ＬＢＴプロシージャが失敗したときに前記ＬＢＴプロシージャが第２のＴＴＩに対して実行される、
［Ｃ５０］に記載の装置。
［Ｃ５５］
前記アップリンク送信リソースは、前記アップリンク送信のための２つ以上の周波数リソースを備え、前記ＬＢＴプロシージャは、前記周波数リソースに対して実行される、
［Ｃ５０］に記載の装置。
［Ｃ５６］
前記修正するための手段は、
前記アップリンク送信のための利用可能なリソースを決定するための手段と、
前記利用可能なリソース中での前記複数のコードブロックの送信をサポートするためにコーディングレートを修正するための手段と
を備える、［Ｃ５０］に記載の装置。
［Ｃ５７］
前記修正するための手段は、
前記アップリンク送信のための利用可能なリソースを決定するための手段と、
前記利用可能なリソース中で送信されるべき前記複数のコードブロックの一部分を識別するための手段と
を備える、［Ｃ５０］に記載の装置。
［Ｃ５８］
前記修正するための手段は、
前記アップリンク送信のための利用可能なリソースを決定するための手段と、
前記利用可能なリソースに少なくとも部分的に基づいて前記トランスポートブロックグループサイズを修正するための手段と、
前記修正されたトランスポートブロックグループサイズに少なくとも部分的に基づいて前記コードブロックのうちの１つまたは複数をドロップするための手段と
を備える、［Ｃ５０］に記載の装置。